(57)【要約】【課題】設置時の利便性を向上できる陳列台を提供する。【解決手段】商品が載置される載置部１０を備えた陳列台１において、上面に開口部２０ａを有して載置部１０が嵌合する筒状の台座部２０を備えるとともに、台座部２０の内周面上に上下方向に延びる折り線１２０を支点に回動可能なフラップ２７、２８を設け、台座部２０と載置部１０との間にフラップ２７、２８を配して台座部２０内に載置部１０を収納した収納状態から載置部１０をフラップ２７、２８の上方に引き出した際に前記フラップが弾性により回動して前記載置部を支持する。【選択図】図１
2019126669.tif 000002
【特許請求の範囲】
【請求項１】
商品が載置される載置部を備えた陳列台において、上面に開口部を有して前記載置部が嵌合する筒状の台座部を備えるとともに、前記台座部の内周面上に上下方向に延びる折り線を支点に回動可能なフラップを設け、前記台座部と前記載置部との間に前記フラップを配して前記台座部内に前記載置部を収納した収納状態から前記載置部を前記フラップの上方に引き出した際に前記フラップが弾性により回動して前記載置部を支持することを特徴とする陳列台。
【請求項２】
前記載置部が棚板により複数段に形成され、前記棚板が周縁上の水平な折り線を支点に上下方向に回動可能に配されることを特徴とする請求項１に記載の陳列台。
【請求項３】
前記フラップが前記台座部の一対の対向する周壁上にそれぞれ設けられることを特徴とする請求項１または請求項２に記載の陳列台。
【請求項４】
前記台座部が内周面から内側に突出して前記フラップよりも上方に配される上ストッパーを有し、前記載置部が外周面から外側に突出して前記上ストッパーに上下方向に対向する突出部を有することを特徴とする請求項１〜請求項３のいずれかに記載の陳列台。
【請求項５】
前記上ストッパーが前記台座部の周壁の上端を折り返して形成され、前記突出部が前記載置部の底壁上から水平に延びる切起し片により形成されることを特徴とする請求項４に記載の陳列台。
【請求項６】
前記台座部の内周面の下部に前記収納状態で前記載置部を支持する支持部を設けたことを特徴とする請求項１〜請求項５のいずれかに記載の陳列台。
【請求項７】
商品が載置される載置部を備えた陳列台の使用方法において、前記陳列台が上面に開口部を有して前記載置部が嵌合する筒状の台座部を備えるとともに、前記台座部の内周面上に上下方向に延びる折り線を支点に回動可能なフラップを設け、
前記台座部と前記載置部との間に前記フラップを配して前記台座部内に前記載置部を収納した収納状態で前記載置部上に商品を載置して前記陳列台が輸送され、
前記収納状態から前記載置部を前記フラップの上方に引き出した際に前記フラップが弾性により回動して前記載置部を支持することにより商品が陳列されることを特徴とする陳列台の使用方法。
【発明の詳細な説明】
【技術分野】
【０００１】
本発明は、陳列台及び陳列台の使用方法に関する。
【背景技術】
【０００２】
従来の陳列台は特許文献１に開示されている。この陳列台は断面矩形の支持胴部の上方に商品が載置される載置部が設けられる。載置部は支持胴部の三面を上方に延設した壁面に棚板を設置して形成される。棚板上には傾斜した折り線が設けられ、折り線に沿って棚板を折曲することによって陳列台を平坦に折り畳むことができる。これにより、陳列台を小型化して輸送コストを削減できる。また、棚板を折り線に沿って拡げることにより、陳列台を容易に組立てることができる。
【先行技術文献】
【特許文献】
【０００３】
【特許文献１】特開２０１７−１９５９４６号公報
【発明の概要】
【発明が解決しようとする課題】
【０００４】
しかしながら、上記従来の陳列台によると、輸送された陳列台を組立てた後に商品を載置部に載置して陳列する必要があり、設置時の利便性が低い問題があった。
【０００５】
本発明は、設置時の利便性を向上できる陳列台及び陳列台の使用方法を提供することを目的とする。
【課題を解決するための手段】
【０００６】
上記目的を達成するために本発明は、商品が載置される載置部を備えた陳列台において、上面に開口部を有して前記載置部が嵌合する筒状の台座部を備えるとともに、前記台座部の内周面上に上下方向に延びる折り線を支点に回動可能なフラップを設け、前記台座部と前記載置部との間に前記フラップを配して前記台座部内に前記載置部を収納した収納状態から前記載置部を前記フラップの上方に引き出した際に前記フラップが弾性により回動して前記載置部を支持することを特徴としている。
【０００７】
また本発明は、上記構成の陳列台において、前記載置部が棚板により複数段に形成され、前記棚板が周縁上の水平な折り線を支点に上下方向に回動可能に配されることが好ましい。
【０００８】
また本発明は、上記構成の陳列台において、前記フラップが前記台座部の一対の対向する周壁上にそれぞれ設けられることが好ましい。
【０００９】
また本発明は、上記構成の陳列台において、前記台座部が内周面から内側に突出して前記フラップよりも上方に配される上ストッパーを有し、前記載置部が外周面から外側に突出して前記上ストッパーに上下方向に対向する突出部を有することが好ましい。
【００１０】
また本発明は、上記構成の陳列台において、前記上ストッパーが前記台座部の周壁の上端を折り返して形成され、前記突出部が前記載置部の底壁上から水平に延びる切起し片により形成されることが好ましい。
【００１１】
また本発明は、上記構成の陳列台において、前記台座部の内周面の下部に前記収納状態で前記載置部を支持する支持部を設けたことが好ましい。
【００１２】
また、上記目的を達成するために本発明は、商品が載置される載置部を備えた陳列台の使用方法において、前記陳列台が上面に開口部を有して前記載置部が嵌合する筒状の台座部を備えるとともに、前記台座部の内周面上に上下方向に延びる折り線を支点に回動可能なフラップを設け、前記台座部と前記載置部との間に前記フラップを配して前記台座部内に前記載置部を収納した収納状態で前記載置部上に商品を載置して前記陳列台が輸送され、前記収納状態から前記載置部を前記フラップの上方に引き出した際に前記フラップが弾性により回動して前記載置部を支持することにより商品が陳列されることを特徴とする。
【発明の効果】
【００１３】
本発明によると、陳列台は商品が載置される載置部と、載置部が嵌合する筒状の台座部とを備える。また、台座部の内周面上に上下方向に延びる折り線を支点に回動可能なフラップが設けられる。商品を載置した載置部を台座部からフラップの上方に引出し際にフラップが弾性により回動して載置部を支持する。これにより、陳列台を容易に組立てることができる。また、収納状態で台座部内に収納された載置部に商品を載置して輸送することができ、載置部を台座部から引き出すだけで商品を陳列することができる。従って、陳列台の設置時の利便性を向上できる。
【図面の簡単な説明】
【００１４】
【図１】本発明の第１実施形態に係る陳列台を正面側から視た斜視図。
【図２】本発明の第１実施形態に係る陳列台を背面側から視た斜視図。
【図３】本発明の第１実施形態に係る陳列台の収納状態を正面側から視た斜視図。
【図４】本発明の第１実施形態に係る陳列台の収納状態を背面側から視た斜視図。
【図５】本発明の第１実施形態に係る陳列台の載置部を正面側から視た斜視図。
【図６】本発明の第１実施形態に係る陳列台の載置部を背面側から視た斜視図。
【図７】本発明の第１実施形態に係る陳列台の台座部を正面側から視た上面図。
【図８】本発明の第１実施形態に係る陳列台の台座部を正面側から視た上面図。
【図９】本発明の第１実施形態に係る陳列台の構成部材のブランク板を示す展開図。
【図１０】本発明の第１実施形態に係る陳列台の構成部材のブランク板を示す展開図。
【図１１】本発明の第１実施形態に係る陳列台の構成部材のブランク板を示す展開図。
【図１２】本発明の第１実施形態に係る陳列台の構成部材のブランク板を示す展開図。
【図１３】本発明の第１実施形態に係る陳列台の構成部材のブランク板を示す展開図。
【図１４】本発明の第１実施形態に係る陳列台の構成部材のブランク板を示す展開図。
【図１５】本発明の第１実施形態に係る陳列台の構成部材のブランク板を示す展開図。
【図１６】本発明の第１実施形態に係る陳列台の構成部材のブランク板を示す展開図。
【図１７】本発明の第１実施形態に係る陳列台の構成部材のブランク板を示す展開図。
【図１８】本発明の第１実施形態に係る陳列台の構成部材のブランク板を示す展開図。
【図１９】本発明の第１実施形態に係る陳列台の構成部材のブランク板を示す展開図。
【図２０】本発明の第２実施形態に係る陳列台を正面側から視た斜視図。
【発明を実施するための形態】
【００１５】
＜第１実施形態＞
以下に図面を参照して本発明の実施形態を説明する。図１、図２は第１実施形態の陳列台１の正面側及び背面側から視た斜視図である。図３、図４は第１実施形態の陳列台１の収納状態を正面側及び背面側から視た斜視図である。図５、図６は載置部１０を正面側から視た斜視図であり、図６は棚板部１１ａ、１１ｂを上方に回動させた状態を示している。
【００１６】
陳列台１は載置部１０と台座部２０とを備え、載置部１０に商品が載置される。台座部２０は載置部１０を支持して載置部１０に載置された商品を見えやすい位置に配する。
【００１７】
載置部１０は棚板部１１ａ、１１ｂ、側壁部１２ａ、１２ｂ、背壁部１３、前壁部１４及び底壁部１８を有する。
【００１８】
棚板部１１ａ、１１ｂ及び底壁部１８には商品が載置される。側壁部１２ａ及び側壁部１２ｂは対向して配される。背壁部１３の両側端には連結部１７が連設され、背壁部１３と側壁部１２ａ、１２ｂとは連結部１７を介してネジ５１によりネジ止めされている。これにより、側壁部１２ａ及び側壁部１２ｂの後端が背壁部１３により連結される。
【００１９】
前壁部１４は棚板部１１ａ、１１ｂ及び底壁部１８の前端から水平な折り線１２０（図９参照）を介して直立しており、棚板部１１ａ、１１ｂ及び底壁部１８に載置された商品が前方に落下することを防止する。上段の棚板部１１ａと中段の棚板部１１ｂの前端に配された前壁部１４の両側端には連結部１６ａ、１６ｂが連設される。前壁部１４と側壁部１２ａ、１２ｂとは連結部１６ａ、１６ｂを介してネジ５１によりネジ止めされている。これにより、側壁部１２ａ及び側壁部１２ｂの前端は前壁部１４により連結される。
【００２０】
棚板部１１ａ及び棚板部１１ｂの後端は背壁部１３と連設されておらず、前端の折り線１２０を支点にして上下方向に回動する（図６参照）。
【００２１】
側壁部１２ａ、１２ｂの内面には内側に突出する側面支持部３２が対向して設けられ、背壁部１３の内面には内側に突出する背面支持部３３が設けられる。棚板部１１ａ、１１ｂは下方に回動した状態において側面支持部３２及び背面支持部３３に支持される。
【００２２】
棚板部１１ａ、１１ｂの後端には挿入片４８ａ（図６参照）が設けられ、挿入片４８ａは背面支持部３３に設けられた挿入孔７６（図１４参照）に挿入される。これにより、輸送中に棚板部１１ａ、１１ｂが背面支持部３３から外れることを防止することができる。
【００２３】
また、棚板部１１ａ、１１ｂの後端には貫通孔４７が設けられている。貫通孔４７に手指を挿入して棚板部１１ａ、１１ｂを引き上げることにより、棚板部１１ａ、１１ｂを上方に容易に回動させることができる。
【００２４】
棚板部１１ａ、１１ｂを上方に回動することにより、下段の底壁部１８の上方が開口する。これにより、下段の底壁部１８に商品を容易に載置することができる。同様にして、棚板部１１ａを上方に回動することにより、中段の棚板部１１ｂに商品を容易に載置することができる。
【００２５】
底壁部１８の前端及び後端には外側に突出する突出部１５が設けられている。突出部１５は後述する台座部２０の内周面に配された上ストッパー２５と上下方向に対向している。
【００２６】
側壁部１２ａ、１２ｂの上部には手指が挿入可能な取手口１２ｃが開口している。使用者は取手口１２ｃに手指を挿入して側壁部１２ａ、１２ｂの上部を把持し、載置部１０を容易に上方へ引出すことができる。
【００２７】
図７、図８は台座部２０の上面図である。図７は組立後の状態を示し、図８は収納状態を示している。なお、図７、図８の一点鎖線は載置部１０の外周縁を示す。台座部２０は前面板２１、側面板２２、２４及び背面板２３が連設されて筒状に形成されている。台座部２０の内周面にはフラップ２７、２８、上ストッパー２５、支持部２６が設けられる。
【００２８】
フラップ２７は前面板２１及び背面板２３の内周面に設けられ、フラップ２８は側面板２２、２４の内周面に設けられる。後述するようにフラップ２７、２８は段ボールを打ち抜いて形成されるブランク板１１０（図１８参照）及びブランク板１１１（図１９参照）を折り線１２０に沿って折曲して形成される。このため、折曲されたフラップ２７、２８には折曲前の状態に復元させる弾性力が働き、フラップ２７、２８は折り線１２０を支点にして弾性により回動する。
【００２９】
載置部１０の収納状態においてフラップ２７、２８は折り畳まれて載置部１０と台座部２０との間に配される（図８参照）。一方、載置部１０の下端がフラップ２７、２８の上端よりも上方まで引き上げられると、フラップ２７、２８が弾性により回動して載置部１０の外周縁よりも内側に配される（図７参照）。このとき、フラップ２７、２８の支点となる折り線１２０は上下方向に延びており、フラップ２７、２８により載置部１０を安定して支持することができる。
【００３０】
上ストッパー２５はフラップ２７、２８よりも上方に配され、前面板２１及び背面板２３の内周面から内側に突出する。
【００３１】
支持部２６は台座部２０のコーナーの下部に４箇所設けられる。支持部２６は収納状態において載置部１０を支持する。
【００３２】
図９〜図１９は陳列台１の各構成部材のブランク板１０１〜１１１を示す展開図である。ブランク板１０１〜１１１は所定の坪量を有する段ボールを打ち抜いて形成される。ブランク板１０１〜１１１は所定位置に折り線１２０が設けられ、折り線１２０を介して折曲される。
【００３３】
図９は棚板部１１ａ及び前壁部１４のブランク板１０１を示す展開図である。ブランク板１０１は、矩形の前壁板４３、前壁板４４、棚板４１、棚板４２が一方向に順に折り線１２０を介して連設される。
【００３４】
前壁板４３の両側端には矩形の連結片４５ａ、４５ｂが折り線１２０を介して夫々連設される。前壁板４４の両側端には連結片４６ａ、４６ｂが折り線１２０を介して夫々連設されている。連結片４５ａ、４５ｂ及び連結片４６ａ、４６ｂにはネジ孔５０が夫々２箇所設けられている。
【００３５】
棚板４１と棚板４２との境界の左右方向中央には貫通孔４７が形成されている。また、貫通孔４７の両側方には棚板４１と棚板４２との境界から前壁板４４側に凸に形成されたＵ字状の切込線４８が形成されている。切込線４８は挿入片４８ａの輪郭となる。
【００３６】
棚板部１１ａは棚板４１の上面に棚板４２を重ねて形成される。このとき、挿入片４８ａが下方に切り起こされ、棚板部１１ａの後端から挿入片４８ａが下方に突出する。
【００３７】
前壁部１４（図１参照）は棚板４１に対して直立するように折曲された前壁板４４の背面側に前壁板４３を折曲により重ねて形成される。
【００３８】
連結部１６ａ（図２参照）は連結片４５ａと連結片４６ａとを重ねて形成され、連結部１６ｂ（図１参照）は連結片４５ｂと連結片４６ｂとを重ねて形成される。連結片４５ａ、４５ｂ及び連結片４６ａ、４６ｂは前壁板４３及び前壁板４４に対して直交するように後方に折曲される。
【００３９】
なお、上段の棚板部１１ａと中段の棚板部１１ｂは同一形状であり、ブランク板１０１により棚板部１１ｂを形成することができる。
【００４０】
図１０は側壁部１２ａのブランク板１０２を示す展開図である。ブランク板１０２は両側端の上端部に面取り５１ａ、５１ｂを有する矩形の側壁板５１の両側端に矩形の補強板５２ａ、５２ｂが折り線１２０を介して連設される。側壁板５１の面取り５１ａ、５１ｂには台形の補強板５３ａ、５３ｂが折り線１２０を介して連設される。側壁板５１の上端には矩形の補強板５４が折り線１２０を介して連設される。側壁板５１の両側部及び補強板５２ａ、５２ｂにネジ孔５０が設けられる。
【００４１】
また、側壁板５１の上部にはＵ字状の切込線５５が形成されている。切込線５５は押込片５５ａの輪郭となる。
【００４２】
側壁部１２ａは補強板５２ａ、５２ｂ、５３ａ、５３ｂ、５４を側壁板５１の内面に重なるように折曲し、接着剤を介して接着することにより形成される。また、押込片５５ａを側壁板５１の内面側に押込み、接着剤を介して接着する。これにより、側壁部１２ａの上部に取手口１２ｃ（図１参照）が開口する。
【００４３】
側壁板５１及び補強板５２ａに形成されたネジ孔５０は、連結部１６ｂのネジ孔５０（図９参照）と一致させてネジ５１（図１参照）が螺合される。これにより、連結部１６ｂと側壁部１２ａ（図１参照）とがネジ止めされる。
【００４４】
なお、側壁部１２ａと側壁部１２ｂは同一形状であり、ブランク板１０２により側壁部１２ｂを形成することができる。
【００４５】
図１１は背壁部１３のブランク板１０３を示す展開図であり、図１２は底壁部１８のブランク板１０４を示す展開図である。
【００４６】
ブランク板１０３は矩形の背壁板６１と矩形の底壁板６２とが折り線１２０を介して連設される。背壁板６１の両側端には連結片６３ａ、６３ｂが折り線１２０を介して連設される。連結片６３ａ、６３ｂにはネジ孔５０が上下方向に複数並設される。
【００４７】
底壁板６２の両側端には矩形の糊代片６４ａ、６４ｂが折り線１２０を介して連設される。底壁板６２の前端（図１１において下端）にはフランジ板６５が折り線１２０を介して連設される。
【００４８】
背壁部１３（図１参照）は背壁板６１により形成され、連結部１７（図１参照）は連結片６３ａ、６３ｂにより形成される。連結片６３ａ、６３ｂは背壁板６１に対して直交するように前方に折曲される。連結片６３ａ、６３ｂに形成されたネジ孔５０は側壁板５１（図１０参照）の後端部側に形成されたネジ孔５０と一致させてネジ５１（図１参照）が螺合される。これにより、連結部１７と側壁部１２ａ、１２ｂ（図１参照）とがネジ止めされる。
【００４９】
ブランク板１０４は矩形の底壁板６６、前壁板６７、前壁板６８が一方向に順に折り線１２０を介して連設される。また、底壁板６６と前壁板６７との境界には切込線６９が２箇所形成される。切込線６９は突出部１５の輪郭となる。また、底壁板６６の後端（図１２において下端）には後方に突出する突出部１５が設けられている。
【００５０】
底壁部１８（図１参照）は底壁板６２及び底壁板６６により形成される。底壁板６６は底壁板６２の下面に重ねられ、底壁板６２から下方に折曲される糊代片６４ａ、６４ｂを底壁板６６の下面に重ねて接着剤を介して接着する。これにより、底壁板６６が底壁板６２の下面に固定される。
【００５１】
前壁板６７は底壁板６６から上方に折曲され、底壁板６２から折曲されるフランジ板６５を挟んで前壁板６８がフランジ板６５の背面に接着される。これにより、底壁部１８の前端の前壁部１４（図１参照）が形成される。
【００５２】
また、前壁板６７を折り線１２０を介して折曲することにより、底壁板６６の前端から前方に突出部１５が突出する。これにより、前方の突出部１５を切起し片により容易に形成することができる。
【００５３】
図１３は側面支持部３２のブランク板１０５の展開図を示し、図１４は背面支持部３３のブランク板１０６の展開図を示している。
【００５４】
ブランク板１０５は矩形の側面支持板７１と側面支持板７２とが折り線１２０を介して連設される。側面支持部３２は側面支持板７１と側面支持板７２とを重ねて接着剤を介して接着して形成される。側面支持部３２は側壁板５１（図１０参照）の内面に接着剤を介して接着される。
【００５５】
ブランク板１０６は矩形の背面支持板７３、７４、７５が一方向に順に折り線１２０を介して連設される。背面支持板７４は挿入口７６が２箇所開口しており、挿入口７６の一端は背面支持板７４と背面支持板７５との境界より背面支持板７５側に延びている。
【００５６】
背面支持部３３（図５参照）は背面支持板７４と背面支持板７３とを重ねた後に、背面支持板７５と背面支持板７３を重ねて接着剤を介して接着して形成される。背面支持板７４は背壁板６１（図１１参照）に接着剤を介して接着される。
【００５７】
このとき、挿入口７６の上端は背面支持板７５の上端に跨って延びているため背面支持部３３（図６参照）の上面が開口する。これにより、挿入口７６に挿入片４８ａ（図４参照）を容易に挿入することができる。
【００５８】
図１５、図１６は台座部２０のブランク板１０７、１０８を示す展開図である。ブランク板１０７は矩形の前面板２１、側面板２２、糊代片２２ｂが一方向に順に折り線１２０を介して連設される。また、前面板２１及び側面板２２の上端には矩形の折り返し片２１ａ、２２ａが折り線１２０を介して連設される。
【００５９】
ブランク板１０８は矩形の背面板２３、側面板２４、糊代片２４ｂが一方向に順に折り線１２０を介して連設される。また、背面板２３及び側面板２４の上端には矩形の折り返し片２３ａ、２４ａが折り線１２０を介して連設される。
【００６０】
糊代片２２ｂは背面板２３の側端に接着剤を介して接着される。また、糊代片２４ｂは前面板２１の側端に接着剤を介して接着される。これにより、前面板２１、側面板２２、２４及び背面板２３によって筒状の台座部２０が形成される。
【００６１】
また、折返し片２１ａ、２２ａ、２３ａ、２４ａを夫々前面板２１、側面板２２、背面板２３及び側面板２４の内面側に重ねて接着剤を介して接着する。折返し片２１ａ、２３ａは台座部２０の内周面から内側に突出する上ストッパー２５を構成する。これにより、台座部２０の周壁の上端を折り返して上ストッパー２５を容易に形成することができる。
【００６２】
図１７は支持部２６のブランク板１０９を示す展開図である。ブランク板１０９は矩形の壁面板８１の上端に三角形の支持板８３が折り線１２０を介して連設される。また、壁面板８１の両端には矩形の糊代片８２ａ、８２ｂが折り線１２０を介して連設される。
【００６３】
支持部２６は支持板８３を壁面板８１に対して直交するように折り線１２０を介して折曲し、糊代片８２ａ、８２ｂを折曲された支持板８３と同じ方向に折り線１２０を介して折曲して形成される。糊代片８２ａ、８２ｂは隣接する前面板２１及び側面板２２、前面板２１及び側面板２４、背面板２３及び側面板２２、背面板２３及び側面板２４、に夫々接着剤を介して接着される。
【００６４】
図１８はフラップ２７のブランク板１１０を示す展開図であり、図１９はフラップ２８のブランク板１１１を示す展開図である。ブランク板１１０は矩形のフラップ２７、固定板８４、フラップ２７が一方向に順に折り線１２０を介して連設される。固定板８４は前面板２１（図１５参照）及び背面板２３（図１６参照）に接着剤を介して接着される。フラップ２７は固定板８４と重なるように折り線１２０を介して折曲される。
【００６５】
また、ブランク板１１１は矩形のフラップ２８、固定板８５、フラップ２８が一方向に順に折り線１２０を介して連設される。固定板８５は側面板２２、２４（図１５、図１６参照）に接着剤を介して接着される。フラップ２８は固定板８５と重なるように折り線１２０を介して折曲される。
【００６６】
次に陳列台１の使用方法について説明する。陳列台１は台座部２０内に載置部１０を嵌合して収納した収納状態で梱包及び輸送が行われる。収納状態ではフラップ２７、２８は固定板８４、８５にそれぞれ重なるように折曲された状態で台座部２０と載置部１０との間に配され、載置部１０は支持部２６に支持される。載置部１０を台座部２０に嵌合して陳列台１を小型化することにより輸送コストを削減することができる。
【００６７】
また、収納状態において、上段の棚板部１１ａ及び中段の棚板部１１ｂを背壁部１３側に配された貫通孔４７に手指を挿入して上方に回動する。これにより、下段の底壁部１８の上方が開放され、底壁部１８に商品を容易に載置することができる。次に、中段の棚板部１１ｂを下方に回動して棚板部１１ｂに商品を載置する。最後に、上段の棚板部１１ａを下方に回動して棚板部１１ａに商品を載置する。これにより、商品が載置部１０に載置された状態で梱包される。棚板部１１ａ、１１ｂが回動するため、載置部１０に商品を容易に載置することができる。
【００６８】
商品が載置された陳列台１は外箱（不図示）により包装して、店舗へ輸送される。このとき、陳列台１を梱包材として商品と一体に輸送することができ、輸送コストをより削減することができる。
【００６９】
店舗に輸送された陳列台１を外箱から取り出し、各取手口１２ｃを把持して載置部１０を上方に引出す。載置部１０の下端がフラップ２７、２８の上端より上方まで引き出されたときにフラップ２７、２８が弾性により台座部２０の内側に回動する（図７参照）。次に、載置部１０を下げてフラップ２７、２８により載置部１０を支持する。これにより、陳列台１を容易に組立てることができる。また、収納状態で台座部２０内に収納された載置部１０に商品を載置して輸送することができ、載置部１０を台座部２０から引き出すだけで商品を陳列することができる。従って、陳列台１の設置時の利便性を向上できる。
【００７０】
また、載置部１０の下端がフラップ２７、２８の上端より上方まで引き出された場合に、載置部１０の底部に形成された突出部１５が上ストッパー２５に引っ掛かり、載置部１０が台座部２０から抜けることが防止される。
【００７１】
本実施形態によると、上面に形成された開口部２０ａを有する台座部２０に商品を載置した載置部１０を嵌合して収納することにより、陳列台１を小型化するとともに商品及び陳列台１を一体にして輸送することができる。このため、輸送コストを削減することができる。また、載置部１０を台座部２０から上方に引出した際にフラップ２７、２８が弾性により回動して載置部１０を支持する。これにより、陳列台１を容易に組立てることができる。また、収納状態で台座部２０内に収納された載置部１０に商品を載置して輸送することができ、載置部１０を台座部２０から引き出すだけで商品を陳列することができる。従って、陳列台１の設置時の利便性を向上できる。
【００７２】
また、載置部１０が棚板部１１ａ、１１ｂにより複数段に形成され、棚板部１１ａ、１１ｂが水平な折り線１２０を支点に上下方向に回動可能に配される。これにより、載置部１０を台座部２０に収納した状態において、棚板部１１ａ、１１ｂを上方に回動させて下段の底壁部１８に商品を容易に載置することができる。
【００７３】
また、フラップ２７、２８が台座部２０の一対の対向する周壁上にそれぞれ設けられることにより、フラップ２７、２８で載置部１０を安定して支持することができる。
【００７４】
また、台座部２０が内周面から内側に突出してフラップ２７、２８よりも上方に配される上ストッパー２５を有し、載置部１０が外周面から外側に突出して上ストッパー２５に上下方向に対向する突出部１５を有する。これにより、載置部１０を台座部２０から上方に引出す際に、突出部１５が上ストッパー２５に引っ掛かり載置部１０が台座部２０から外れることを防止できる。
【００７５】
また、上ストッパー２５が台座部２０の周壁の上端を折り返して形成されており、上ストッパー２５を容易に形成することができる。また、突出部１５が載置部１０の底壁部（底壁）１８上から水平に延びる切起し片により形成されており、突出部１５を容易に形成することができる。
【００７６】
また、台座部２０の内周面の下部に収納状態で載置部１０を支持する支持部２６を設けたことにより、陳列台１の輸送時の利便性を向上することができる。
【００７７】
＜第２実施形態＞
図２０は第２実施形態に係る陳列台を正面側から視た斜視図である。なお、第１実施形態と同一部分は同一符号を付して説明を省略する。第１実施形態に対して第２実施形態は前面板２１、背面板２３及び側面板２２、２４に切込みを設けてフラップ２７、２８を形成している。これにより、陳列台１の部材点数を減らして製造コストを削減することができる。
【００７８】
なお、第１、第２実施形態において、棚板部１１ａ、１１ｂの後端部を側壁部１２ａ、１２ｂに固定し、棚板部１１ａ、１１ｂを後端の折り線を支点に回動可能に形成してもよい。また、棚板部１１ａ、１１ｂの一側端部を側壁部１２ａ、１２ｂに固定し、棚板部１１ａ、１１ｂを側端の折り線を支点に回動可能に形成してもよい。
【産業上の利用可能性】
【００７９】
本発明によると、店頭に設置されて商品を陳列する陳列台に利用することができる。
【符号の説明】
【００８０】
１      陳列台
１０      載置部
１１ａ、１１ｂ  棚板部
１２ａ、１２ｂ  側壁部
１２ｃ    取手口
１３      背壁部
１４      前壁部
１５      突出部
１６ａ、１６ｂ、１７  連結部
１８      底壁部
２０      台座部
２０ａ    開口部
２１      前面板
２１ａ、２２ａ、２３ａ、２４ａ  折返し片
２２、２４  側面板
２２ｂ    糊代片
２３      背面板
２４      側面板
２４ｂ    糊代片
２５      上ストッパー
２６      支持部
２７、２８  フラップ
３２      側面支持部
３３      背面支持部
４１、４２  棚板
４３、４４  前壁板
４５ａ、４５ｂ、４６ａ、４６ｂ、６３ａ、６３ｂ  連結片
４７      貫通孔
４８      切込線
４８ａ    挿入片
５０      ネジ孔
５１      側壁板
５１ａ    面取り
５１ａ、５１ｂ  面取り
５２ａ、５２ｂ、５３ａ、５３ｂ、５４  補強板
５５      切込線
５５ａ    押込片
６１      背壁板
６２      棚板
６４ａ、６４ｂ、８２ａ、８２ｂ  糊代片
６５      フランジ板
６６      底壁板
６７、６８  前壁板
６９      切込線
７１、７２  側面支持板
７３〜７５  背面支持板
７６      挿入口
８１      壁面板
８３      支持板
８４、８５  固定板
１０１〜１１１  ブランク板
１２０      折り線
【図１】
2019126669.tif 000003
【図２】
2019126669.tif 000004
【図３】
2019126669.tif 000005
【図４】
2019126669.tif 000006
【図５】
2019126669.tif 000007
【図６】
2019126669.tif 000008
【図７】
2019126669.tif 000009
【図８】
2019126669.tif 000010
【図９】
2019126669.tif 000011
【図１０】
2019126669.tif 000012
【図１１】
2019126669.tif 000013
【図１２】
2019126669.tif 000014
【図１３】
2019126669.tif 000015
【図１４】
2019126669.tif 000016
【図１５】
2019126669.tif 000017
【図１６】
2019126669.tif 000018
【図１７】
2019126669.tif 000019
【図１８】
2019126669.tif 000020
【図１９】
2019126669.tif 000021
【図２０】
2019126669.tif 000022